(57)【要約】【課題】ファクシミリ送信する際に、受信側での印刷結果をイメージで容易に確認できるようにした情報処理システムおよび印刷イメージ表示方法を提供する。【解決手段】ＰＣ−ＦＡＸシステム１００は、コンピュータ１０、ファクシミリ機能を有する画像形成装置２０を備え、コンピュータ１０上の原稿画像データをファクシミリ機能を有する画像形成装置２０を介してファクシミリ送信する際に、ユーザの印刷イメージ表示要求に応じて、当該原稿画像データに基づいて所定の送信解像度で印刷イメージを表示すると共に画像形成装置２０が所有する複数の送信解像度を示す複数の選択肢を同一画面内に表示し、選択手段１１により同一画面内に表示された複数の選択肢から他の送信解像度が選択されたとき、プレビュー画面を切り換え、選択された送信解像度で印刷イメージを表示手段１２に表示する。これにより、送信解像度の変更が容易にできる。【選択図】　　　　図２
2004056658.tif 000002
【特許請求の範囲】
【請求項１】
ファクシミリ機能を有し、かつ、複数の送信解像度を有した画像形成装置と、当該画像形成装置に接続された情報処理装置とを備え、前記情報処理装置で取り扱われる画像情報を所望の送信解像度でファクシミリ送信する情報処理システムにおいて、
前記情報処理装置では、
前記画像形成装置の送信解像度の選択するための子画面と、画像形成出力時の印刷概念を予測するための親画面とを同一画面内に表示し、
前記同一画面内に表示された送信解像度の選択に基づいて前記印刷概念を予測するための親画面の表示切換え処理をする
ことを特徴とする情報処理システム。
【請求項２】
前記情報処理装置は、
前記複数の送信解像度の中から所定の送信解像度を選択する選択手段と、
前記送信解像度の選択するための子画面と、画像形成出力時の印刷概念を予測するための親画面とを同一画面内に表示する表示手段と、
前記選択手段により前記所定の送信解像度が選択されたとき、前記印刷概念を予測するための親画面の表示切換え処理をする制御手段と
を備えることを特徴とする情報処理システム。
【請求項３】
前記制御手段は、前記情報処理装置が所有する画像処理用ソフトウエアにて前記画像情報のデータを処理し、前記印刷概念を予測するための親画面の表示切換え処理をする
ことを特徴とする請求項２に記載の情報処理システム。
【請求項４】
前記制御手段は、前記画像形成装置の解像変換部にて処理した前記画像情報のデータを前記情報処理装置側にアップロードして、前記印刷概念を予測するための親画面の表示切換え処理をする
ことを特徴とする請求項２に記載の情報処理システム。
【請求項５】
ファクシミリ機能を有し、かつ、複数の送信解像度を有した画像形成系と、当該画像形成系を制御する情報処理系とを接続し、前記情報処理系で取り扱われる画像情報を所望の送信解像度でファクシミリ送信する際の印刷イメージ表示方法において、
前記情報処理系では、
前記画像形成系の送信解像度の選択するための子画面と、画像形成出力時の印刷概念を予測するための親画面とを同一画面内に表示し、
前記同一画面内に表示された送信解像度の選択に基づいて前記印刷概念を予測するための親画面を表示切換えする
ことを特徴とする印刷イメージ表示方法。
【発明の詳細な説明】
【０００１】
【発明の属する技術分野】
この発明は、コンピュータ等の情報処理装置で取り扱われる画像情報を、当該情報処理装置に接続されたファクシミリ機能を有する画像形成装置を経由してファクシミリ送信を行うＰＣ−ＦＡＸシステム等に適用して好適な情報処理システムおよび印刷イメージ表示方法に関するものである。
【０００２】
【従来の技術】
従来、ファクシミリ装置を用いてファクシミリ送信を行う際に、手書きで原稿を作成した後、またはコンピュータを用いて原稿を作成し、プリンタで紙に印刷した後、ファクシミリ装置、例えばファクシミリ機能を有する複写機等の画像形成装置で原稿を読み取り、読み取った原稿の画像情報を電話回線を介して他のファクシミリ装置に送信する方法が用いられている。
【０００３】
このような方法は、例えば、コンピュータを用いて原稿を作成する場合、コンピュータ上のアプリケーションソフトウエアで作成した送信用原稿をプリンタで紙に印刷する必要があるため、手順繁雑かつ印刷用紙を浪費する。
【０００４】
最近、操作手順の簡素化と印刷用紙の節約のために、コンピュータ上の画像データを、ネットワークあるいはローカル接続されたファクシミリ機能を有する画像形成装置を経由してファクシミリ送信を行うファクシミリ装置（ＰＣ−ＦＡＸシステム）が多くなっている。このようなＰＣ−ＦＡＸシステムは、コンピュータ上のアプリケーションソフトウエアで作成した送信用原稿を印刷せずに、ネットワークあるいはローカル接続されたファクシミリ機能を有する画像形成装置（例えば複写機等）を経由して送信することができるため、印刷用紙の節約ができると共に、送信用原稿の印刷操作も不要となる。この場合、送信する前に送信原稿の印刷イメージをプレビュー表示し、画像形成出力時の印刷概念を予測するための画面（以下、プレビュー画面という）で原稿画像の印刷イメージを確認できる。
【０００５】
【発明が解決しようとする課題】
ところで、コンピュータ用プリンタ自身の印刷解像度の向上、コンピュータのアプリケーションソフトウエアのＧＵＩ（Ｇｒａｐｈｉｃａｌ　Ｕｓｅｒ　Ｉｎｔｅｒｆａｃｅ）化により、コンピュータのアプリケーションソフトウエアによるプレビュー表示された原稿画像の印刷イメージの解像度は、ファクシミリ通信にて定められた通信解像度より高い。そのため、従来のＰＣ−ＦＡＸシステムを用いてファクシミリ送信を行う場合、コンピュータのＣＲＴ（Ｃａｔｈｏｄｅ−Ｒａｙ　Ｔｕｂｅ）等のディスプレイに表示された画像情報の解像度はファクシミリ通信時の解像度への変換に伴い、そのもとの画像情報が欠落することがある。
【０００６】
また、送信原稿の印刷イメージをプレビュー画面で確認する際に、予め送信時の解像度として設定された解像度のみのプレビュー画面しか表示できないという問題点があった。
【０００７】
また、プレビュー画面を見て原稿の送信解像度を変更したい場合、送信解像度を変更するために、最初の送信解像度設定画面に戻らなければならず、受信側での印刷結果をイメージで確認するための送信解像度の変更操作が面倒である。
【０００８】
そこで、この発明は上述した課題を解決したものであって、ファクシミリ送信する際に、受信側での印刷結果をイメージで容易に確認できるようにした情報処理システムおよび印刷イメージ表示方法を提供することを目的とする。
【０００９】
【課題を解決するための手段】
上記課題を解決するために、本発明に係る情報処理システムは、ファクシミリ機能を有し、かつ、複数の送信解像度を有した画像形成装置と、当該画像形成装置に接続された情報処理装置とを備え、情報処理装置で取り扱われる画像情報を所望の送信解像度でファクシミリ送信する情報処理システムにおいて、情報処理装置では、画像形成装置の送信解像度の選択するための子画面と、画像形成出力時の印刷概念を予測するための親画面とを同一画面内に表示し、同一画面内に表示された送信解像度の選択に基づいて印刷概念を予測するための親画面の表示切換え処理をすることを特徴とするものである。
【００１０】
本発明に係る情報処理システムによれば、情報処理装置で取り扱われる画像情報をファクシミリ機能を有する画像形成装置を介してファクシミリ送信する際に、情報処理系では、ユーザの印刷イメージ表示要求に応じて画像形成装置の送信解像度の選択するための子画面と、画像形成出力時の印刷概念を予測するための親画面とが同一画面内に表示され、同一画面内に表示された送信解像度の選択に基づいて印刷概念を予測するための親画面が切換えられる。即ち、ユーザの印刷イメージ表示要求に応じて所定の送信解像度で当該画像情報の印刷イメージが表示されると共に、画像形成装置が所有する複数の送信解像度を示す複数の選択肢が同一画面内に表示される。同一画面内に表示された複数の選択肢から他の送信解像度が選択されたとき、印刷イメージが他の送信解像度で表示される。
【００１１】
これによって、ユーザが印刷イメージを見て送信解像度を変更したいとき、従来のように最初の送信解像度の設定画面に戻り、送信解像度の設定を行う必要がなく、プレビュー画面上で送信解像度を選択できるため、送信解像度の変更が容易にできる。また、アプリケーションソフトウエアによる高解像度表示から、ファクシミリ通信時の低解像度への解像度変換時の画像情報欠落の有無を容易に確認できるため、ファクシミリ送信する際に、受信側での印刷結果をイメージで確認して適切な送信解像度で送信することが可能となる。さらに、送付先での画像形成出力時の画像状態を予測することが可能であるため、無意味な高解像度での送信を避けることで、通信時間及び通信コストの削減が可能となる。
【００１２】
本発明に係る印刷イメージ表示方法は、ファクシミリ機能を有し、かつ、複数の送信解像度を有した画像形成系と、当該画像形成系を制御する情報処理系とを接続し、情報処理系で取り扱われる画像情報を所望の送信解像度でファクシミリ送信する際の印刷イメージ表示方法において、情報処理系では、画像形成系の送信解像度の選択するための子画面と、画像形成出力時の印刷概念を予測するための親画面とを同一画面内に表示し、同一画面内に表示された送信解像度の選択に基づいて印刷概念を予測するための親画面を表示切換えすることを特徴とするものである。
【００１３】
本発明に係る印刷イメージ表示方法によれば、情報処理系の情報処理装置で取り扱われる画像情報をファクシミリ機能を有する画像形成系の画像形成装置を介してファクシミリ送信する際に、ユーザが印刷イメージを見て送信解像度を変更したいとき、従来のように最初の送信解像度の設定画面に戻り、送信解像度の設定を行う必要がなく、プレビュー画面上で送信解像度を選択できるため、送信解像度の変更が容易にできる。また、アプリケーションソフトウエアによる高解像度表示から、ファクシミリ通信時の低解像度への解像度変換時の画像情報欠落の有無を容易に確認することが可能となる。
【００１４】
【発明の実施の形態】
以下、図面を参照しながら、この発明の実施の形態としての情報処理システムおよび印刷イメージ表示方法について説明をする。
図１は、本発明に係る実施形態としての情報処理システムを応用したＰＣ−ＦＡＸシステム１００の構成例を示す図である。図２は、ＰＣ−ＦＡＸシステム１００の要部ブロック図である。
【００１５】
この実施の形態では情報処理装置としてのコンピュータ１０上の画像データを、ネットワークあるいはローカル接続された画像通信装置２０を経由してファクシミリ送信を行う際に、情報処理系では、ユーザの印刷イメージ表示要求に応じて画像形成装置２０の送信解像度の選択するための子画面と、画像形成出力時の印刷概念を予測するための親画面とを同一画面内に表示し、同一画面内に表示された送信解像度の選択に基づいて印刷概念を予測するための親画面を表示切換えする。即ち、ユーザの印刷イメージ表示要求に応じて画像データに基づいて印刷イメージを所定の送信解像度で表示すると共に、複数の送信解像度を示す複数の選択肢を同一画面内に表示し、この複数の選択肢から他の送信解像度が選択されたとき、選択された他の送信解像度で印刷イメージを表示するようにして、印刷イメージの表示画面上で送信解像度を選択し変更することができ、受信側での印刷結果をイメージで容易に確認できるようにしたものである。
【００１６】
図１に示すＰＣ−ＦＡＸシステム１００はコンピュータ１０とネットワークあるいはローカル接続されたファクシミリ機能を有する画像形成装置２０を備えるものであり、コンピュータとファクシミリ機能を有する複写機、複合機等の画像形成装置とから構成されるファクシミリシステムに適用して好適である。
【００１７】
このＰＣ−ＦＡＸシステム１００は、情報処理装置としてのコンピュータ１０、ファクシミリ機能を有する画像形成装置２０を備える。図２に示すように、コンピュータ１０は、選択手段１１、表示手段１２、通信手段１３、制御手段としてのＣＰＵ１４、ＨＤＤ（ハードディスクドライブ）１５、ＲＡＭ１６を備えている。また、画像形成装置２０は、解像度変換部２１と、画像形成部２２と、ＦＡＸ通信部２３とを有している。この画像形成装置２０は、例えばファクシミリ機能を有し、かつ複数の送信解像度を有する複写機または複合機等からなる。
【００１８】
選択手段１１は、画像形成装置２０が所有する複数の送信解像度から所定の送信解像度を選択するものである。例えば、コンピュータ１０のキーボードを用いてキー入力により送信解像度を選択を行う。またはコンピュータ１０のマウスを用いてコンピュータ１０の画面上に表示されている操作ボタンを操作することにより送信解像度を選択する。この例では、マウスを用いて画面上に表示されている送信解像度の選択肢をクリックすることで所望の送信解像度を選択するようになされる。
【００１９】
表示手段１２は、ファクシミリ送信の原稿画像、ファクシミリ送信の設定画面および原稿画像の印刷イメージ等を表示するための表示装置であり、例えば、ＣＲＴ（Ｃａｔｈｏｄｅ−Ｒａｙ　Ｔｕｂｅ）、またはＬＣＤ（Ｌｉｑｕｉｄ　Ｃｒｙｓｔａｌ　Ｄｉｓｐｌａｙ）からなる。この表示手段１２は、所定の送信解像度で原稿画像データに基づいて印刷イメージを表示すると共に、画像形成装置２０が所有する複数の送信解像度を示す複数の選択肢を同一画面上に表示することができるようになされる。
【００２０】
通信手段１３は、データ通信のために画像形成装置２０と接続するものである。ローカル接続、例えばＵＳＢ（Ｕｎｉｖｅｒｓａｌ　Ｓｅｒｉａｌ　Ｂｕｓ）あるいはＲＳ−２３２Ｃ、またはネットワーク接続、例えばＬＡＮ（Ｌｏｃａｌ　Ａｒｅａ　Ｎｅｔｗｏｒｋ）などからなる。図１に示すように、この例では、ＵＳＢまたはＲＳ−２３２Ｃのようなローカル接続用通信手段が用いられている。コンピュータ１０は、この通信手段１３を介して画像形成装置２０と接続され、原稿画像データを画像形成装置２０へ転送する。
【００２１】
ＣＰＵ１４は、ＨＤＤ１５に格納された制御プログラムに従って、ＲＡＭ１６をワークエリアとして使用しながら、コンピュータ１０の全体の動作を制御する。このＣＰＵ１４は、制御手段として画像形成装置２０の送信解像度の選択するための子画面（例えば解像度選択肢表示画面）と、画像形成出力時の印刷概念を予測するための親画面、即ち印刷イメージ画面とを同一画面内に表示し、同一画面内に表示された送信解像度の選択に基づいて印刷イメージ画面の表示切換え処理を行う。
【００２２】
また、このＣＰＵ１４は、例えばコンピュータ１０の画像処理用ソフトウエアにて原稿画像データを処理し、この原稿画像データに基づいて印刷イメージを表示し、または画像形成装置２０の解像度変換部２１にて処理した原稿画像データをコンピュータ１０側にアップロードして、この原稿画像データに基づいて印刷イメージを表示することができるようになされる。この実施の形態ではコンピュータ１０の画像処理用ソフトウエアにて原稿画像データを処理するようになされる。
【００２３】
ＨＤＤ１５は、制御プログラムを格納されている以外に、ファクシミリ送信の原稿を作成するアプリケーションソフトウエア、ＰＣ−ＦＡＸ用のドライバソフトウエア、ファクシミリ送信の送付先の登録データ等も格納されている。
【００２４】
画像形成装置２０の解像度変換部２１は、ファクシミリ送信の原稿画像データを処理し、送信解像度を変換する回路である。この解像度変換部２１は、コンピュータ１０から転送されてきた原稿画像データを設定された解像度に変換し、コンピュータ１０側の要求に応じて、処理した原稿画像データをコンピュータ１０へアップロードすることができるようになされる。
【００２５】
また、画像形成部２２は、電子写真方式により記録紙上に画像を形成するようになされる。この画像形成部２２には露光装置が設けられ、露光装置は画像情報（印刷データ）に基づいて発光するレーザダイオード及び、このレーザダイオードからの光ビームを感光体上に導く光学系を有している。画像形成部２２では、原稿画像データに基づく静電潜像が感光体に記録され、この静電潜像にトナーが付着された後に、感光体に形成されたトナー像が記録紙に転写され、そして定着ローラによりトナー像が記録紙に定着される。
【００２６】
通信手段２３は、データ通信するためにコンピュータ１０と接続する手段である。例えばＵＳＢ、ＲＳ−２３２Ｃ、またはＬＡＮなどからなる。この例では、ＵＳＢまたはＲＳ−２３２Ｃのようなローカル接続用通信手段が用いられている。ＦＡＸ通信部２４は、例えば電話回線からなる。電話回線を介して原稿の画像情報を宛先のファクシミリ装置に送信する。
【００２７】
続いて、本発明に係る印刷イメージ表示方法についてＰＣ−ＦＡＸシステム１００の動作例を説明する。図３はＰＣ−ＦＡＸシステム１００におけるファクシミリ送信の動作例を示すフローチャートである。図４はＰＣ−ＦＡＸ送信設定の動作例を示すフローチャートである。
【００２８】
この実施形態ではコンピュータ１０上の原稿画像データを、ローカル接続された画像形成装置２０を経由してファクシミリ送信を行う際に、ユーザの印刷イメージ表示要求に応じて、コンピュータ１０の画像処理用ソフトウエアにて原稿画像データを処理し、画像形成装置２０の送信解像度の選択するための子画面（解像度選択肢表示画面）と、画像形成出力時の印刷概念を予測するための親画面（印刷イメージ画面）とを同一画面内に表示し、同一画面内に表示された送信解像度の選択に基づいて印刷概念を予測するための親画面を表示切換えする場合を前提とする。
【００２９】
これを動作条件にして、ＰＣ−ＦＡＸシステム１００におけるファクシミリ送信の動作例を説明する。
ＰＣ−ＦＡＸシステム１００によりファクシミリ送信する際に、まず、図３に示すフローチャートのステップＳ１０で、ＰＣ−ＦＡＸ送信設定を行う。例えば送信先の設定や送信解像度の設定などを行う。このステップＳ１０で、図４に示すＰＣ−ＦＡＸ送信設定の動作（サブルーチン）を行う。
【００３０】
まず、図４に示すフローチャートのステップＳ１０１ａまたはステップ１０１ｂで、ファクシミリ送信の送付先を設定する。送付先の設定は、図５に示す送信設定画面で行う。コンピュータ１０または画像形成装置２０に格納されている送付先の登録データからファクシミリ送信の送付先を選択する場合、ステップＳ１０１ａで行う。また、送付先を直接入力することにより設定する場合はステップ１０１ｂで行う。
【００３１】
次に、ステップ１０２で、送付先を追加するか否かを判断する。ここで、ユーザがファクシミリ送信の送付先を追加する必要があると判断した場合、ステップＳ１０１ａまたはステップ１０１ｂに戻り、送付先の追加設定を行う。送付先を追加する必要がないと判断した場合、次に、ステップＳ１０３で、送信解像度を初期値より変更するか否かを判断する。変更する場合、ステップＳ１０４で、ＰＣ−ＦＡＸ送信の設定画面に表示されている送信解像度の選択肢から所望の解像度を選択する。例えば、図５に示すようなＰＣ−ＦＡＸ送信の設定画面で、表示された送信解像度の選択肢から２００×２００ｄｐｉの送信解像度を選択する。送信解像度は２００×２００ｄｐｉに設定される。
【００３２】
次に、ステップＳ１０５で、送信原稿の画像データをプレビュー表示するか否かを判断する。プレビュー表示しない場合、例えば、図５に示すようなＰＣ−ＦＡＸ送信の設定画面に表示されている「ＯＫ」ボタンＢＯをマウスを用いてクリックすると、設定が終了し、図３に示すフローチャートのステップＳ１１に移る。ステップＳ１１以降の動作は後述する。なお、設定画面に表示されている「キャンセル」ボタンＢＫをクリックすると、送信動作終了する。
【００３３】
また、プレビュー表示する場合、例えば、図５に示すようなＰＣ−ＦＡＸ送信の設定画面に表示されている「プレビュー」ボタンＢＰをマウスを用いてクリックすると、ステップＳ１０６で、コンピュータ１０の画像処理用ソフトウエアにて原稿の画像データを処理し、この原稿画像データに基づいて印刷イメージ、例えば図６に示すようなプレビュー画面が表示される。この場合、送信原稿画像データの印刷イメージが表示される同時に、画像形成装置２０が所有する全ての送信解像度を示す複数の選択肢Ｂ１、Ｂ２（例えば２００×２００ｄｐｉと４００×４００ｄｐｉ）も同じ画面に表示される。
【００３４】
次に、ステップＳ１０７で、ユーザが表示された印刷イメージを見て表示結果（即ち、印刷結果）を判断する。例えば図６に示すような印刷イメージは送信解像度（２００×２００ｄｐｉ）が低いため、原稿画像の印刷イメージが粗く、受信側で画像形成出力をする時、画像情報が欠落することがある場合、送信解像度を変更することが必要と判断される。そして、ステップＳ１０８で、他の解像度を選択する。例えば、より高い解像度（４００×４００ｄｐｉ）を選択する。この場合、マウスを用いて画面上に表示されている送信解像度の選択肢のボタンＢ２をクリックすると、図７に示すようなプレビュー画面が表示される（ステップＳ１０６）。
【００３５】
そして、再度ステップＳ１０７で、ユーザが表示された印刷イメージを見て表示結果を判断する。ＯＫの場合、例えば画面上に表示されている「ＯＫ」ボタンＢ０１をクリックすると、ステップＳ１０９で、送信解像度をプレビュー表示中の送信解像度（４００×４００ｄｐｉ）に設定する。送信解像度が設定された後、設定動作が終了する。
【００３６】
なお、ステップＳ１０７で、ユーザが表示された印刷イメージを見て、この印刷イメージは前より悪くなったと判断される場合、例えば高解像度から低解像度に変更したとき、原稿画像の印刷イメージが粗くなる場合、または低解像度から高解像度に変更したが、それほど高い解像度で送信する必要がないと判断される場合、画面上に表示されている「キャンセル」ボタンＢＫ１をクリックすると、ステップＳ１１０で、送信解像度を変更前の解像度に設定して、送信設定の動作が終了する。
【００３７】
送信設定終了後、図３に示す送信動作（メインルーチン）に戻り、図３に示すフローチャートのステップＳ１１で、ファクシミリ（ＦＡＸ）送信するかを確認する。送信しない場合、ファクシミリ送信の動作が終了する。また、送信する場合、ステップＳ１２で、ユーザが画面上に表示されている設定内容確認画面（例えば、設定された送付先、送信解像度など内容を表示する画面）で必要な送信設定を満足しているかを判断する。満足していない場合、ステップＳ１０に戻り、その再設定を行う。また、送信設定を満足している場合、ステップＳ１３で、ファクシミリ（ＦＡＸ）送信を行う。ＦＡＸ送信が正常に行った後、ファクシミリ送信の動作が終了する。
【００３８】
以上のように、ＰＣ−ＦＡＸ送信設定を行う際に、プレビュー画面で印刷イメージを確認して、送信解像度を変更したいとき、同じ画面に表示されている送信解像度の選択肢から所望の送信解像度を選択することで、プレビュー画面を切り換え、選択された送信解像度で印刷イメージを表示するようになされる。
【００３９】
このように、本発明に係る実施形態としてのＰＣ−ＦＡＸシステム１００及び印刷イメージ表示方法によれば、コンピュータ１０上の原稿画像データをファクシミリ機能を有する画像形成装置２０を介してファクシミリ送信する際に、ユーザの印刷イメージ表示要求に応じて、当該原稿画像データに基づいて所定の送信解像度で印刷イメージを表示すると共に画像形成装置２０が所有する複数の送信解像度を示す複数の選択肢を同一画面内に表示し、選択手段１１により表示された複数の選択肢から他の送信解像度が選択されたとき、プレビュー画面を切り換え、選択された送信解像度で印刷イメージを表示するようになされる。
【００４０】
これによって、ユーザが印刷イメージを見て送信解像度を変更したいとき、従来のように最初の送信解像度の設定画面に戻り、送信解像度の設定を行う必要がなく、プレビュー画面上で送信解像度を選択できるため、送信解像度の変更が容易にできる。
【００４１】
また、アプリケーションソフトウエアによる高解像度表示から、ファクシミリ通信時の低解像度への解像度変換時の画像情報欠落の有無を容易に確認できるため、ファクシミリ送信する際に、受信側での印刷結果をイメージで確認して適切な送信解像度で送信することができる。
【００４２】
さらに、送信解像度の選択により送付先での画像出力時の画像状態を予測することが可能であるため、無意味な高解像度での送信を避けることで、通信時間及び通信コストの削減ができる。
【００４３】
なお、上述実施の形態においては、コンピュータ１０の画像処理用ソフトウエアにて原稿画像データを処理し、この原稿画像データに基づいて印刷イメージを表示するものを示したが、これに限定されるものではない。原稿画像データを画像形成装置２０へ転送し、画像形成装置２０の解像度変換部２１にて処理した原稿画像データをコンピュータ１０側にアップロードして、この原稿画像データに基づいて印刷イメージを表示するようにしてもよい。
【００４４】
この場合、コンピュータ１０で作成したファクシミリ送信用の原稿画像データを画像形成装置２０へ転送し、コンピュータ１０側の指示に従って画像形成装置２０の解像度変換部２１で、コンピュータ１０から転送されてきた原稿画像データを設定された解像度に変換し、また、コンピュータ１０側の要求に応じて、処理した画像データをコンピュータ１０へアップロードして、表示手段１２に表示するようになされる。これにより、コンピュータ１０の画像データ処理負荷が軽減できる。
【００４５】
また、上述実施の形態においては、情報処理装置はコンピュータ１０を用いたものであるが、これに限定されるものではない。コンピュータ以外の情報処理装置を用いてもよい。
【００４６】
また、上述実施の形態においては、情報処理装置として１台のコンピュータ１０とローカル接続された画像形成装置２０とから構成されたものであるが、これに限定されるものではない。１台以上のコンピュータ１０と、１台の画像形成装置２０とから構成されたＰＣ−ＦＡＸシステムにしてもよい。この場合、コンピュータ１０と画像形成装置２０との接続はローカル接続または／およびネットワーク接続にすることが可能である。
【００４７】
【発明の効果】
以上説明したように、本発明に係る情報処理システムによれば、ファクシミリ機能を有し、かつ、複数の送信解像度を有した画像形成装置と、当該画像形成装置に接続された情報処理装置とを備え、情報処理装置で取り扱われる画像情報を所望の送信解像度でファクシミリ送信する際に、情報処理装置では、ユーザの印刷イメージ表示要求に応じて画像形成装置の送信解像度の選択するための子画面と、画像形成出力時の印刷概念を予測するための親画面とを同一画面内に表示し、同一画面内に表示された送信解像度の選択に基づいて印刷概念を予測するための親画面を表示切換えするようになされる。
【００４８】
この構成によって、ユーザが印刷イメージを見て送信解像度を変更したいとき、従来のように最初の送信解像度の設定画面に戻り、送信解像度の設定を行う必要がなく、プレビュー画面上で送信解像度を選択できるため、送信解像度の変更が容易にできる。
【００４９】
また、アプリケーションソフトウエアによる高解像度表示から、ファクシミリ通信時の低解像度への解像度変換時の画像情報欠落の有無を容易に確認できるため、ファクシミリ送信する際に、受信側での印刷結果をイメージで確認して適切な送信解像度で送信することができる。
【００５０】
さらに、送信解像度の選択により送付先での画像出力時の画像状態を予測することが可能であるため、無意味な高解像度での送信を避けることで、通信時間及び通信コストの削減ができる。
【００５１】
本発明に係る印刷イメージ表示方法によれば、情報処理装置で取り扱われる画像情報をファクシミリ機能を有する画像形成装置を介して所望の送信解像度でファクシミリ送信する際に、ユーザの印刷イメージ表示要求に応じて画像形成装置の送信解像度の選択するための子画面と、画像形成出力時の印刷概念を予測するための親画面とを同一画面内に表示し、同一画面内に表示された送信解像度の選択に基づいて印刷概念を予測するための親画面を表示切換えするようになされる。
【００５２】
これによって、ユーザが印刷イメージを見て送信解像度を変更したいとき、従来のように最初の送信解像度の設定画面に戻り、送信解像度の設定を行う必要がなく、プレビュー画面上で送信解像度を選択できるため、送信解像度の変更が容易にできる。
【００５３】
また、アプリケーションソフトウエアによる高解像度表示から、ファクシミリ通信時の低解像度への解像度変換時の画像情報欠落の有無を容易に確認できる。
【００５４】
この発明は、ファクシミリ機能を有し、かつ、複数の送信解像度を有した画像形成装置と、当該画像形成装置に接続されたコンピュータ等の情報処理装置とを備えるＰＣ−ＦＡＸシステムに適用して極めて好適である。
【図面の簡単な説明】
【図１】実施の形態としての情報処理システムを応用したＰＣ−ＦＡＸシステム１００の構成例を示す図である。
【図２】ＰＣ−ＦＡＸシステム１００の要部を示すブロック図である。
【図３】ＰＣ−ＦＡＸシステム１００の送信動作例（メインルーチン）を示すフローチャートである。
【図４】ＰＣ−ＦＡＸシステム１００の送信設定の動作例（サブルーチン）を示すフローチャートである。
【図５】送信設定画面を示す図である。
【図６】プレビュー画面表示例（２００×２００ｄｐｉの場合）を示す図である。
【図７】プレビュー画面表示例（４００×４００ｄｐｉの場合）を示す図である。
【符号の説明】
１０　コンピュータ（情報処理装置）
１１　選択手段
１２　表示手段
１３　通信手段
１４　ＣＰＵ（制御手段）
１５　ＨＤＤ
１６　ＲＡＭ
２０　画像形成装置
２１　解像度変換部
２２　画像形成部
２３　通信手段
２４　ＦＡＸ通信部
１００　ＰＣ−ＦＡＸシステム
【図１】
2004056658.tif 000003
【図２】
2004056658.tif 000004
【図３】
2004056658.tif 000005
【図４】
2004056658.tif 000006
【図５】
2004056658.tif 000007
【図６】
2004056658.tif 000008
【図７】
2004056658.tif 000009